Podtech/llm-jp-corpus-v4-ja_patent huggingface dataset:
【手続補正書】
【提出日】令和3年8月26日(2021.8.26)
【手続補正１】
【補正対象書類名】明細書
【補正対象項目名】００２１
【補正方法】変更
【補正の内容】
【００２１】
図１〜図７はテープタイプ使い捨ておむつの一例を示しており、図中の符号Ｘは連結テープを除いたおむつの全幅を示しており、符号Ｌはおむつの全長を示している。各構成部材は、適所で隣接する部材に接合することができる。断面図中の点模様部分は、この接合手段としての接着剤を示している。接着剤による部材間の接合は、例えばホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により行うことができる。ホットメルト接着剤としては、例えばＥＶＡ系、粘着ゴム系（エラストマー系）、オレフィン系、ポリエステル・ポリアミド系などの種類のものが存在するが、特に限定なく使用できる（ただし、同接着剤には、セルロースナノファイバーは含まないものとする）。各構成部材を接合する接合手段としてはヒートシールや超音波シール等の素材溶着による手段を用いることもできる。
【手続補正書】
【提出日】令和3年6月2日(2021.6.2)
【手続補正１】
【補正対象書類名】明細書
【補正対象項目名】００２７
【補正方法】変更
【補正の内容】
【００２７】
擦過後の表面シート２の湿潤コラーゲンフィルムとの摩擦が、擦過前の表面シート２と湿潤コラーゲンフィルムとの摩擦に対して、４０％以上低下することが好ましく、５０％以上低下することがより好ましい。湿潤コラーゲンフィルムとの摩擦は以下の条件で測定される。
〔条件〕
湿潤コラーゲンフィルムは、２．５ｃｍ四方に切り出したコラーゲンフィルム（ＰＲＩＲＯ社製ＥＤＣＯＬ−Ｒ）を、イオン交換水に例えば１分間浸漬させた後取り出し、水分を除去して湿潤コラーゲンフィルムを作製する。湿潤コラーゲンフィルムの含水率は、乾燥重量に対して１００〜１５０質量％とする。水分の除去は、例えば、日本製紙クレシア株式会社製のキムタオルでコラーゲンフィルムの上下をはさみ、３．５ｋＰａの荷重で１分間保持することで行う。
製品長手方向端部から１ｃｍのところから、１０ｃｍ四方の表面シートを取り出し、シートをアクリル板に固定する。
フリクシオメーター（Ｆｒｉｃｔｉｏｍｅｔｅｒ  ＦＲ７００、Ｃｏｕｒａｇｅ＋Ｋｈａｚａｋａ社製）のヘッドの測定面に湿潤状態のコラーゲンフィルムを密着させて固定する。コラーゲンフィルムを固定したヘッドをプローブに取り付け、表面シート上に垂直に当て以下の条件で測定する。測定は２３℃、５０％Ｒ．Ｈ．の環境下で行う。
・回転速度；５０ｒｐｍ
・測定面積；Φ１６ｍｍ（テフロン（登録商標）ヘッド）
・圧力；０．７N（３．５ｋＰａ）
・測定間隔；１秒
回転開始後１０秒から３０秒の間の２０秒間（２０点）の平均値を測定値とした。同様の測定を部位を変えて３カ所測定し、３点の平均値を湿潤コラーゲンフィルムとの摩擦（フリクシオメーター値）とする。
乾燥コラーゲンフィルムとの摩擦は、湿潤コラーゲンフィルムに替えて、湿潤させていない市販のコラーゲンフィルム（ＰＲＩＲＯ社製ＥＤＣＯＬ−Ｒ）を用いて行う。擦過前の表面シートに対しても同様に測定することができる。
【手続補正２】
【補正対象書類名】明細書
【補正対象項目名】００４８
【補正方法】変更
【補正の内容】
【００４８】
前述した本発明の実施形態に関し、更に以下の吸収性物品を開示する。
＜１＞
以下の条件での擦過によって摩擦係数が５％以上又は摩擦係数の平均偏差が１５％以上擦過前よりも低下する領域を有するシートを肌当接面に備え、着用者の前後方向に対応する長手方向及び該長手方向と直交する幅方向を有する吸収性物品。
〔条件〕
コラーゲンフィルム（ＰＲＩＲＯ社製ＥＤＣＯＬ−Ｒ）を、イオン交換水に１分間浸漬させた後取り出し、水分を除去して乾燥重量に対して含水率が１００〜１５０質量％の湿潤コラーゲンフィルムを作製する。該コラーゲンフィルムに３．０ｋＰａの圧力を加えて前記シートにおける長手方向に沿って１０往復させる。
＜２＞
前記シートが、前記肌当接面を形成する液透過性の表面シートであり、
前記領域が、前記表面シートにおける幅方向中央部に少なくとも位置している、前記＜１＞に記載の吸収性物品。
＜３＞
前記シートは、肌当接面側シート及び非肌当接面側シートから構成され、
前記肌当節面側シート及び前記非肌当節面側シートは、複数の接合部において互いに接合されており、且つ該肌当接面側シートが、該接合部以外の部位において該非肌当接面側シートから離れる方向に突出する凸部を多数形成している凹凸構造を有する積層シートであり、
前記領域においては、前記肌当接面側シートと前記非肌当接面側シートとが前記接合部において擦過によって剥離可能になっている、前記＜１＞または＜２＞に記載の吸収性物品。
＜４＞
前記領域において、前記接合部は、厚み方向断面視において下方に凸の湾曲形状を有し、
前記非肌当接面側シートの構成繊維が擦過によって前記接合部の周囲において切断可能になっている、前記＜３＞に記載の吸収性物品。
＜５＞
前記領域において、前記接合部は、厚み方向断面視において上方に凸の湾曲形状を有し、
前記肌当接面側シートの構成繊維が擦過によって前記接合部の周囲において切断可能になっている、前記＜３＞に記載の吸収性物品。
＜６＞
前記領域においては、擦過によって１０Ｎ以上、好ましくは１８Ｎ以上、好ましくは２０Ｎ以上のせん断力が加わることで前記肌当接面側シートと前記非肌当接面側シートとが剥離可能になっている、前記＜３＞〜＜５＞の何れか１に記載の吸収性物品。
＜７＞
前記領域においては、擦過によって１０〜２７Ｎ、好ましくは１８〜２５Ｎ、好ましくは２０〜２３Ｎのせん断力が加わることで前記肌当接面側シートと前記非肌当接面側シートとが剥離可能になっている、前記＜３＞〜＜６＞の何れか１に記載の吸収性物品。
＜８＞
摩擦係数又は摩擦係数の平均偏差が擦過前よりも低下する領域の擦過前の摩擦係数ＭＩＵが０．３０以下、好ましくは０．２７以下である、前記＜１＞〜＜７＞の何れか１に記載の吸収性物品。
＜９＞
摩擦係数又は摩擦係数の平均偏差が擦過前よりも低下する領域の擦過後の摩擦係数ＭＩＵが０．２７以下、好ましくは０．２５以下である、前記＜１＞〜＜８＞の何れか１に記載の吸収性物品。
＜１０＞
摩擦係数又は摩擦係数の平均偏差が擦過前よりも低下する領域の擦過前のＭＩＵに対する擦過後のＭＩＵの比率である〔擦過後のＭＩＵ／擦過前のＭＩＵ〕の値が０．９５以下、好ましくは０．９０以下である、前記＜１＞〜＜９＞の何れか１に記載の吸収性物品。
＜１１＞
前記領域において、前記接合部は、１個の接合部内に互いに厚みの異なる部位を有し、
厚みの異なる前記部位間において前記肌当接面側シートと前記非肌当接面側シートとの剥離が擦過によって開始するようになっている、前記＜３＞〜＜６＞の何れか１に記載の吸収性物品。
＜１２＞
前記領域が前記肌当接面に散点状に配置されている、前記＜１＞〜＜１１＞の何れか１に記載の吸収性物品。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
人眼の眼底に対応する擬似眼底部と、
前記擬似眼底部に設けられ、人眼の眼底の蛍光撮影に用いられる蛍光物質を蛍光させる波長の撮影光で蛍光する物質によって形成された蛍光部と、
を備え、
前記蛍光部は、インドシアニングリーンを蛍光させる波長の前記撮影光で蛍光する物質によって形成されたＩＣＧＡ用蛍光部を含むことを特徴とする模型眼。
【請求項２】
請求項１に記載の模型眼であって、
前記蛍光部は、フルオレセインを蛍光させる波長の前記撮影光で蛍光する物質によって形成されたＦＡ用蛍光部を含むことを特徴とする模型眼。
【請求項３】
請求項１または２に記載の模型眼であって、
前記蛍光部の少なくともいずれかは、前記撮影光を出射する眼科撮影装置による撮影画角に応じて、前記模型眼の光軸からの距離が異なる複数の位置の各々に形成された複数の画角対応蛍光部を含むことを特徴とする模型眼。
【請求項４】
請求項１または２に記載の模型眼であって、
前記蛍光部の少なくともいずれかは、人眼の眼底血管の形状を模した血管対応蛍光部を含むことを特徴とする模型眼。
【請求項５】
請求項１から４のいずれかに記載の模型眼であって、
前記模型眼の光軸上に可変絞りを備えたことを特徴とする模型眼。
【請求項６】
請求項１から５のいずれかに記載の模型眼であって、
人眼の屈折力に相当する屈折力を有すると共に、前記撮影光が入射する入射部を備えるレンズ部を備え、
前記擬似眼底部は、前記入射部から入射されて前記レンズ部を通過する前記撮影光の光路上に配置されることを特徴とする模型眼。
【請求項７】
被検眼の組織に撮影光を照射することで組織の画像を撮影する眼科撮影装置の動作確認方法であって、
特定の波長の撮影光で蛍光する物質によって形成された蛍光部を備えた模型眼の擬似眼底部を、前記眼科撮影装置によって撮影する撮影ステップを含み、
前記蛍光部は、インドシアニングリーンを蛍光させる波長の前記撮影光であるＩＣＧＡ用撮影光で蛍光する物質によって形成されたＩＣＧＡ用蛍光部を含み、
前記撮影ステップでは、前記ＩＣＧＡ用撮影光で撮影が行われることを特徴とする眼科撮影装置の動作確認方法。
【請求項８】
請求項７に記載の眼科撮影装置の動作確認方法であって、
前記模型眼の前記蛍光部は、フルオレセインを蛍光させる波長の前記撮影光であるＦＡ用撮影光で蛍光する物質によって形成されたＦＡ用蛍光部を含み、
前記撮影ステップでは、前記ＩＣＧＡ用撮影光による撮影と前記ＦＡ用撮影光による撮影が、同時に、または切り替えて行われることを特徴とする眼科撮影装置の動作確認方法。
【請求項９】
請求項７または８に記載の眼科撮影装置の動作確認方法であって、
前記撮影ステップによる撮影結果に基づいて、前記眼科撮影装置による撮影条件を調整する調整ステップをさらに含むことを特徴とする眼科撮影装置の動作確認方法。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
識別情報の変動表示の表示結果が特定表示結果となることに基づいて、遊技者にとって有利な特別遊技が実行可能となる遊技機であって、
表示画面を有する主表示装置と、
前記主表示装置よりも画面サイズが小さい表示画面を有する副表示装置と、
始動口への遊技球の入球に基づいて取得された取得情報を記憶可能な記憶手段と、
前記取得情報に基づいて前記識別情報の変動表示を実行可能な変動表示実行手段と、
前記識別情報の変動表示の表示結果が前記特定表示結果となる可能性を示唆する予告演出を実行可能な予告演出実行手段と、を備え、
前記主表示装置の表示画面には、前記識別情報としての演出図柄が表示される演出図柄表示領域と、前記記憶手段による取得情報の記憶数に応じて演出保留が表示される演出保留表示領域と、が設けられており、
前記予告演出実行手段は、前記予告演出として、前記演出保留表示領域に表示される前記演出保留の表示態様による演出保留予告を実行可能であるとともに、前記演出保留予告以外の予告を前記副表示装置の表示画面で実行可能である
ことを特徴とする遊技機。
【請求項２】
前記予告演出実行手段は、前記演出保留予告と前記演出保留予告以外の予告とを同時期に実行可能である
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
識別情報の変動表示の表示結果が特定表示結果となることに基づいて、遊技者にとって有利な特別遊技が実行可能となる遊技機であって、
表示画面を有する主表示装置と、
前記主表示装置よりも画面サイズが小さい表示画面を有する副表示装置と、
始動口への遊技球の入球に基づいて取得された取得情報を記憶可能な記憶手段と、
前記取得情報に基づいて前記識別情報の変動表示を実行可能な変動表示実行手段と、
前記識別情報の変動表示の表示結果が前記特定表示結果となる可能性を示唆する予告演出を実行可能な予告演出実行手段と、を備え、
前記主表示装置の表示画面には、前記識別情報としての演出図柄が表示される演出図柄表示領域と、前記記憶手段による取得情報の記憶数に応じて演出保留が表示される演出保留表示領域と、が設けられており、
前記予告演出実行手段は、前記予告演出として、前記演出保留表示領域に表示される前記演出保留の表示態様による演出保留予告を実行可能であるとともに、前記演出保留予告以外の予告を前記副表示装置の表示画面で実行可能である
ことを要旨とする。
（２）手段２の遊技機は、手段１の遊技機において、
前記予告演出実行手段は、前記演出保留予告と前記演出保留予告以外の予告とを同時期に実行可能である
ことを要旨とする。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
識別情報の変動表示の表示結果が特定表示結果となることに基づいて、遊技者にとって有利な特別遊技が実行可能となる遊技機であって、
表示画面を有する主表示装置と、
前記主表示装置よりも画面サイズが小さい表示画面を有する副表示装置と、
前記識別情報の変動表示中に所定の変動演出を実行可能な変動演出実行手段と、を備え、
前記変動演出実行手段は、
前記変動演出として、前記変動表示の表示結果が特定表示結果となるか否かを示す特定変動演出を実行可能であって、
前記特定変動演出として第１特定変動演出を実行する場合と第２特定変動演出を実行する場合とがあり、
前記第１特定変動演出を実行する場合には、前記主表示装置と前記副表示装置のうち前記主表示装置の表示画面で前記第１特定変動演出を実行することが可能であり、
前記第２特定変動演出を実行する場合には、前記主表示装置と前記副表示装置の両方の表示画面で前記第２特定変動演出を実行することが可能である
ことを特徴とする遊技機。
【請求項２】
前記特定変動演出の態様として、通常態様と特別態様が設けられており、
前記特別態様による前記特定変動演出が実行される場合には、前記通常態様による前記特定変動演出が実行される場合と比較して、前記識別情報の変動表示の表示結果が前記特定表示結果となる可能性が高くなるものとされており、
前記変動演出実行手段は、前記特別態様による前記特定変動演出として、前記第１特定変動演出を実行する場合と前記第２特定変動演出を実行する場合とがある
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
識別情報の変動表示の表示結果が特定表示結果となることに基づいて、遊技者にとって有利な特別遊技が実行可能となる遊技機であって、
表示画面を有する主表示装置と、
前記主表示装置よりも画面サイズが小さい表示画面を有する副表示装置と、
前記識別情報の変動表示中に所定の変動演出を実行可能な変動演出実行手段と、を備え、
前記変動演出実行手段は、
前記変動演出として、前記変動表示の表示結果が特定表示結果となるか否かを示す特定変動演出を実行可能であって、
前記特定変動演出として第１特定変動演出を実行する場合と第２特定変動演出を実行する場合とがあり、
前記第１特定変動演出を実行する場合には、前記主表示装置と前記副表示装置のうち前記主表示装置の表示画面で前記第１特定変動演出を実行することが可能であり、
前記第２特定変動演出を実行する場合には、前記主表示装置と前記副表示装置の両方の表示画面で前記第２特定変動演出を実行することが可能である
ことを要旨とする。
（２）手段２の遊技機は、手段１の遊技機において、
前記特定変動演出の態様として、通常態様と特別態様が設けられており、
前記特別態様による前記特定変動演出が実行される場合には、前記通常態様による前記特定変動演出が実行される場合と比較して、前記識別情報の変動表示の表示結果が前記特定表示結果となる可能性が高くなるものとされており、
前記変動演出実行手段は、前記特別態様による前記特定変動演出として、前記第１特定変動演出を実行する場合と前記第２特定変動演出を実行する場合とがある
ことを要旨とする。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
筐体に空気を流入させる流入口と、
前記筐体内に旋回気流を発生させる旋回流発生手段と、
前記筐体の背面側に設けられ、前記流入口から流入した空気を前記筐体外へ流出させる流出口と連通する内筒管と、
前記筐体内の正面側において、前記流入口と連通する旋回室と、前記旋回室よりも外周側に位置する分離室とに区切る空間分割板と、
前記空間分割板に設けられ、前記旋回室と前記分離室とを連通する貫通孔と、
前記筐体の中心軸を水平に配置した状態で、前記分離室における重力方向の下方の位置に設けられ、前記分離室と前記筐体外とを排出促進面を介して連通する排出口と、
前記旋回気流によって前記分離室に分離された異物が前記貫通孔から前記旋回室に再流入するのを抑制する流入気流制御板と、
を備え、
前記流入気流制御板は、前記筐体の正面側から見て、前記貫通孔側が重力方向の下方へ傾斜した板体であり、前記分離室の下部空間において前記排出口の重力方向の上方を覆うように設置されていることを特徴とするサイクロン分離装置。
【請求項２】
前記流入気流制御板の上方には、前記分離室内の空気が通過できるように、前記空間分割板との間に隙間が設けられていることを特徴とする請求項１に記載のサイクロン分離装置。
【請求項３】
前記排出促進面の前記分離室側の面上には、前記排出促進面から前記分離室へ端部を突出させた返し板をさらに備えることを特徴とする請求項１または２に記載のサイクロン分離装置。
【請求項４】
前記旋回気流の方向おいて、前記貫通孔と前記流入気流制御板との間における前記流入気流制御板の上流側に設けられた下部遮蔽板をさらに備え、
前記下部遮蔽板は、前記筐体の前記中心軸から引いた半径上に延設した板体であり、前記筐体の前記中心軸に垂直な面において、前記返し板の前記端部から前記排出促進面に引いた接線の延長線上おける前記分離室の下部空間内に配置されていることを特徴とする請求項３に記載のサイクロン分離装置。
【請求項５】
前記旋回気流の方向おいて、前記流入気流制御板と前記貫通孔との間における前記流入気流制御板の下流側に設けられた上部遮蔽板をさらに備え、
前記上部遮蔽板は、前記筐体の前記中心軸よりも上方における前記分離室の上部空間内に配置されていることを特徴とする請求項４に記載のサイクロン分離装置。
【手続補正２】
【補正対象書類名】明細書
【補正対象項目名】０００９
【補正方法】変更
【補正の内容】
【０００９】
そして、この目的を達成するために、本発明に係るサイクロン分離装置は、筐体に空気を流入させる流入口と、筐体内に旋回気流を発生させる旋回流発生手段と、筐体の背面側に設けられ、流入口から流入した空気を筐体外へ流出させる流出口と連通する内筒管と、筐体内の正面側において、流入口と連通する旋回室と、旋回室よりも外周側に位置する分離室とに区切る空間分割板と、空間分割板に設けられ、旋回室と分離室とを連通する貫通孔と、筐体の中心軸を水平に配置した状態で、分離室における重力方向の下方の位置に設けられ、分離室と筐体外とを排出促進面を介して連通する排出口と、旋回気流によって分離室に分離された異物が貫通孔から旋回室に再流入するのを抑制する流入気流制御板と、を備える。流入気流制御板は、筐体の正面側から見て、貫通孔側が重力方向の下方へ傾斜した板体であり、分離室の下部空間において排出口の重力方向の上方を覆うように設置されているものであり、これにより所期の目的を達成するものである。
【手続補正３】
【補正対象書類名】明細書
【補正対象項目名】００１２
【補正方法】変更
【補正の内容】
【００１２】
本発明に係るサイクロン分離装置は、筐体に空気を流入させる流入口と、旋回気流を発生させる旋回流発生手段と、筐体の背面に設けて空気を筐体の外へ流出させる流出口と、筐体の内部を該筐体の側面に近い外周側と該筐体の中心部を含む内周側とに仕切る空間分割板によってそれぞれ形成した分離室と旋回室と、空間分割板に備えた分離室と旋回室を連通させる貫通孔と、分離室内部と筐体外とを連通させる排出口とを備えたサイクロン分離装置において、排出口は分離室に対して重力方向の下方となる位置に配置でき、排出口に向かって傾斜を有する排出促進面を備え、分離室内部に、貫通孔から旋回気流の方向へ、下部遮蔽板、返し板、流入気流制御板を備え、流入気流制御板は、排出促進面の上方部に配置し、かつ筐体の正面側から見て、貫通孔側が下方へ傾斜した板体をなし、返し板は、排出促進面から分離室へ端部を突出させた板体であって、下部遮蔽板は、旋回室の中心軸に垂直な面において、端部から排出促進面にひいた接線の線上にくるよう配置した。
【手続補正４】
【補正対象書類名】明細書
【補正対象項目名】００１５
【補正方法】変更
【補正の内容】
【００１５】
また、本発明に係るサイクロン分離装置は、流入気流制御板の上部にも分離室内の空気が通過できるように、空間分割板との間に隙間を設けた。
【手続補正５】
【補正対象書類名】明細書
【補正対象項目名】００１７
【補正方法】変更
【補正の内容】
【００１７】
また、本発明に係るサイクロン分離装置は、分離室の上部空間内に上部遮蔽板を設けた。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
液体を吐出するノズルが形成された底壁と、液体導入部と、を有し、前記底壁と前記液体導入部とが同じ方向を向いた液体噴射ヘッドに対して液体を供給する流路部材であって、
前記液体導入部に接続されて、前記液体を前記液体導入部へ排出する液体排出口と、
外部から前記液体を受け入れて、前記液体排出口に向けて前記液体を供給する液体供給口と、を備え、
前記液体排出口と前記液体供給口のそれぞれの開口方向は、−Ｚ方向である、流路部材。
【請求項２】
請求項１に記載の流路部材であって、
前記液体供給口は、前記液体排出口よりも前記−Ｚ方向側に位置する、流路部材。
【請求項３】
請求項１または請求項２に記載の流路部材であって、
前記液体供給口は複数備えられ、
前記液体排出口は複数備えられ、
前記−Ｚ方向と直交する方向をＹ方向とし、前記−Ｚ方向および前記Ｙ方向と直交する方向をＸ方向とした場合に、
前記複数の液体排出口は、前記Ｙ方向に並んで配置され、
前記Ｘ方向について、前記複数の液体供給口が位置する範囲は、前記複数の液体排出口が位置する範囲よりも大きい、流路部材。
【請求項４】
請求項１から請求項３までのいずれか一項に記載の流路部材であって、さらに、
前記液体供給口と前記液体排出口とを接続する液体流路を有し、
前記−Ｚ方向と直交する方向をＹ方向とし、前記−Ｚ方向および前記Ｙ方向と直交する方向をＸ方向とした場合に、
前記液体流路は、前記Ｙ方向に延びるＹ方向流路と、前記−Ｚ方向に平行な方向であるＺ方向に延びるＺ方向流路とを含む、流路部材。
【請求項５】
請求項１から請求項４までのいずれか一項に記載の流路部材であって、さらに、
前記液体排出口を一端に形成し、前記−Ｚ方向に沿って延びる液体排出流路と、
前記液体排出流路に配置された弁機構であって、前記液体導入部と接続されたときに開弁し、前記液体導入部が前記液体排出口から取り外されたときに閉弁する弁機構と、を有する、流路部材。
【請求項６】
請求項１から請求項５までのいずれか一項に記載の流路部材であって、
さらに、前記液体排出口が配置された排出口配置壁を有し、
前記排出口配置壁には、前記液体噴射ヘッドに前記流路部材を固定するためのネジが挿通されるネジ挿通穴が形成されている、流路部材。
【請求項７】
請求項６に記載の流路部材であって、
前記液体排出口は、前記Ｙ方向に並んで複数配置され、
前記ネジ挿通穴は、前記複数の液体排出口のうちの第１液体排出口と第２液体排出口との間に位置する、流路部材。
【請求項８】
ヘッドユニットであって、
請求項１から請求項５までのいずれか一項に記載の流路部材と、
前記−Ｚ方向とは反対の方向であり、重力方向である＋Ｚ方向を向いた液体導入部を有する液体噴射ヘッドと、を備え、
前記液体供給口は、前記液体噴射ヘッドよりも前記−Ｚ方向側に位置する、ヘッドユニット。
【請求項９】
ヘッドユニットであって、
請求項６または請求項７に記載の流路部材と、
前記−Ｚ方向とは反対の方向であり、重力方向である＋Ｚ方向を向いた液体導入部を有する液体噴射ヘッドを備え、
前記液体供給口は、前記液体噴射ヘッドよりも前記−Ｚ方向側に位置する、ヘッドユニット。
【請求項１０】
請求項８に記載のヘッドユニットであって、
前記液体噴射ヘッドは、さらに、
前記液体導入部が配置され、前記＋Ｚ方向を向いた導入部配置壁と、前記−Ｚ方向側の壁である上壁と、を有し、
前記流路部材は、さらに、
前記液体排出口が配置され、前記導入部配置壁と向かい合う排出口配置壁と、
前記上壁と向かい合う対向壁と、を有する、ヘッドユニット。
【請求項１１】
請求項８から請求項１０までのいずれか一項に記載のヘッドユニットであって、さらに、
液体噴射ヘッドを固定するキャリッジを備え、
前記キャリッジは、前記ノズルを露出させる開口を有するキャリッジ底壁を有し、
前記＋Ｚ方向側から見た場合に、前記流路部材の一部と前記キャリッジ底壁とは重なる、ヘッドユニット。
【請求項１２】
ヘッドユニット群であって、
請求項８から請求項１１までのいずれか一項に記載のヘッドユニットを複数備え、
前記＋Ｚ方向と直交する方向をＹ方向とし、前記＋Ｚ方向および前記Ｙ方向と直交する方向をＸ方向とした場合に、
前記複数のヘッドユニットは、前記Ｙ方向に並んで配置され、
前記複数のヘッドユニットが有する複数の前記液体噴射ヘッドはそれぞれ、凸部と凹部とを有する側壁を有し、
前記複数のヘッドユニットのうちの１つの第１ヘッドユニットとし、前記第１ヘッドユニットと前記Ｙ方向に隣り合う前記ヘッドユニットを第２ヘッドユニットとし、前記第１ヘッドユニットの前記液体噴射ヘッドを第１液体噴射ヘッドとし、前記第２ヘッドユニットの前記液体噴射ヘッドを第２液体噴射ヘッドとし、前記第１ヘッドユニットの前記流路部材を第１流路部材としたときに、
前記第１液体噴射ヘッドの前記凸部が、前記第２液体噴射ヘッドの前記凹部内に位置し、
前記第１流路部材が有する前記＋Ｚ方向に沿った前記液体を流通させる流路は、前記第２液体噴射ヘッドの前記凹部内に位置することで、前記Ｙ方向において前記第１液体噴射ヘッドと前記第２液体噴射ヘッドとに挟まれた位置に配置される、ヘッドユニット群。
【請求項１３】
請求項１２に記載のヘッドユニット群であって、
前記−Ｚ方向側から見たときに、前記第１ヘッドユニットの前記流路部材は、前記第２ヘッドユニットと重ならない位置に配置されている、ヘッドユニット群。
【手続補正２】
【補正対象書類名】明細書
【補正対象項目名】００７１
【補正方法】変更
【補正の内容】
【００７１】
本開示は、流路部材やヘッドユニットやヘッドユニット群以外に種々の形態で実現することも可能である。例えば、流路部材やヘッドユニットやヘッドユニット群の製造方法や、ヘッドユニットやヘッドユニット群を備えた液体噴射装置などの形態で実現することができる。また本開示は、例えば以下の形態として実現できる。
［形態１］液体を吐出するノズルが形成された底壁と、液体導入部と、を有し、前記底壁と前記液体導入部とが同じ方向を向いた液体噴射ヘッドに対して液体を供給する流路部材であって、前記液体導入部に接続されて、前記液体を前記液体導入部へ排出する液体排出口と、外部から前記液体を受け入れて、前記液体排出口に向けて前記液体を供給する液体供給口と、を備え、前記液体排出口と前記液体供給口のそれぞれの開口方向は、−Ｚ方向である、流路部材。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
液体を噴射する複数のノズルが一方向に並設された噴射面と、
前記ノズルと連通する流路が形成された流路部材と、を備え、
前記噴射面の平面形状は、当該噴射面を内包する最小面積の長方形の長辺に平行な中心線が通過する第１部分と、当該中心線を通過しない第２部分とを、当該長辺の方向に配列した形状であり、
前記流路部材は、前記流路に連通し、外部の液体貯留手段が接続される複数の接続部を備え、
前記複数の接続部は、前記流路部材の前記噴射面に対する平面視において前記第２部分に重なる部分に設けられた複数の第１接続部を含み、
前記複数の第１接続部は、前記一方向にずれて配置されている
ことを特徴とする液体噴射ヘッドユニット。
【請求項２】
請求項１に記載の液体噴射ヘッドユニットにおいて、
前記噴射面の形状は、前記中心線を通過しない第３部分を、前記第１部分を挟んで前記第２部分とは反対側に配列した形状である
ことを特徴とする液体噴射ヘッドユニット。
【請求項３】
請求項２に記載の液体噴射ヘッドユニットにおいて、
前記第２部分と前記第３部分とは、前記中心線を挟んで反対側に位置する
ことを特徴とする液体噴射ヘッドユニット。
【請求項４】
請求項２又は請求項３に記載の液体噴射ヘッドユニットにおいて、
前記複数の接続部は、前記流路部材の前記噴射面に対する平面視において前記第３部分に重なる部分に設けられた複数の第２接続部を含む
ことを特徴とする液体噴射ヘッドユニット。
【請求項５】
請求項４に記載の液体噴射ヘッドユニットにおいて、
前記複数の第２接続部は、前記一方向にずれて配置されている
ことを特徴とする液体噴射ヘッドユニット。
【請求項６】
請求項４又は請求項５に記載の液体噴射ヘッドユニットにおいて、
前記第１接続部と、前記第２接続部とは、前記噴射面に交差する方向の高さが異なる
ことを特徴とする液体噴射ヘッドユニット。
【請求項７】
請求項４から請求項６の何れか一項に記載する液体噴射ヘッドユニットにおいて、
前記流路部材には、前記ノズルに液体を供給する供給流路と、前記ノズルから噴射されなかった液体を排出する排出流路とを備え、
前記第１接続部は、前記供給流路に連通する供給ポートであり、
前記第２接続部は、前記排出流路に連通する排出ポートである
ことを特徴とする液体噴射ヘッドユニット。
【請求項８】
請求項１から請求項７の何れか一項に記載の液体噴射ヘッドユニットにおいて、
前記流路部材の前記第１部分に重なる部分には、外部の制御ユニットと信号の送受信をするための配線が接続されるコネクタが設けられ、
前記噴射面に交差する方向において、前記接続部の少なくとも一部は、前記コネクタよりも前記噴射面とは反対側に位置している
ことを特徴とする液体噴射ヘッドユニット。
【請求項９】
請求項１から請求項７の何れか一項に記載の液体噴射ヘッドユニットにおいて、
前記流路部材の前記第１部分に重なる部分には、外部の制御ユニットと信号の送受信をするための配線が接続されるコネクタが設けられ、
前記噴射面に交差する方向において、前記接続部は、前記コネクタよりも前記噴射面側に位置している
ことを特徴とする液体噴射ヘッドユニット。
【請求項１０】
請求項８又は請求項９に記載する液体噴射ヘッドユニットにおいて、
前記流路部材の前記接続部が設けられた部分は、前記噴射面に交差する方向において、前記流路部材の前記コネクタが設けられた部分よりも、前記噴射面側に位置している
ことを特徴とする液体噴射ヘッドユニット。
【請求項１１】
請求項１から請求項１０の何れか一項に記載する液体噴射ヘッドユニットにおいて、
前記複数の第１接続部は、前記一方向に沿って配置されている
ことを特徴とする液体噴射ヘッドユニット。
【請求項１２】
請求項１から請求項１１の何れか一項に記載する液体噴射ヘッドユニットにおいて、
前記複数の第１接続部は、前記一方向において、前記第１部分側に位置するほど、前記噴射面に交差する方向における高さが高い
ことを特徴とする液体噴射ヘッドユニット。
【請求項１３】
請求項１から請求項１２の何れか一項に記載する液体噴射ヘッドユニットにおいて、
外部の支持体に固定されるヘッド固定部を備え、
前記ヘッド固定部は、前記噴射面に交差する方向において、前記接続部よりも前記噴射面側に設けられている
ことを特徴とする液体噴射ヘッドユニット。
【請求項１４】
請求項１３に記載する液体噴射ヘッドユニットにおいて、
前記ヘッド固定部は、前記一方向における外側に設けられている
ことを特徴とする液体噴射ヘッドユニット。
【請求項１５】
請求項１から請求項１４の何れか一項に記載する液体噴射ヘッドユニットにおいて、
前記流路部材には、前記ノズルに液体を供給する供給流路と、前記ノズルから噴射されなかった液体を排出する排出流路とを備え、
前記複数の接続部は、前記供給流路に連通する供給ポートと、前記排出流路に連通する排出ポートである
ことを特徴とする液体噴射ヘッドユニット。
【請求項１６】
請求項１５に記載する液体噴射ヘッドユニットにおいて、
前記排出ポートの径は、前記供給ポートの径よりも太い
ことを特徴とする液体噴射ヘッドユニット。
【請求項１７】
請求項１から請求項１６の何れか一項に記載する液体噴射ヘッドユニットを備えた液体噴射ヘッドモジュール。
【請求項１８】
請求項１７に記載する液体噴射ヘッドモジュールにおいて、
少なくとも、前記一方向に並設された２個の前記液体噴射ヘッドユニットを備え、
一方の前記液体噴射ヘッドユニットの前記接続部と、他方の前記液体噴射ヘッドユニットの前記接続部とは、前記一方向において位置がずれている
ことを特徴とする液体噴射ヘッドモジュール。
【請求項１９】
請求項１７又は請求項１８に記載する液体噴射ヘッドモジュールにおいて、
前記一方向に並設された複数の前記液体噴射ヘッドユニットを備え、
複数の前記液体噴射ヘッドユニットのそれぞれの前記接続部は、前記一方向に沿って配置されている
ことを特徴とする液体噴射ヘッドモジュール。
【請求項２０】
請求項１７から請求項１９の何れか一項に記載する液体噴射ヘッドモジュールを備えた液体噴射装置。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
プロセッサ、メモリ、入力部、および表示部を備えるコンピュータにおいて実行されるゲームプログラムであって、
前記ゲームプログラムに基づくゲームは、複数種類のキャラクタのうちから、ユーザにより操作される操作キャラクタを選択することにより編成する編成パートと、前記編成パートで編成された操作キャラクタを用いて第１モードと第２モードとを含む複数のモードのいずれかのゲームを行わせるゲームパートとを含み、
前記複数種類のキャラクタの各々には、複数種類の属性のうちのいずれかの属性が定められており、
前記ゲームプログラムは、前記プロセッサに、
前記第２モードに用いる操作キャラクタを編成する編成パートにおいて、所定の属性が定められている複数のキャラクタからなる所定キャラクタ群と、特定の属性が定められている複数のキャラクタからなる特定キャラクタ群とのうちから２以上のキャラクタを選択することにより、当該２以上のキャラクタを操作キャラクタとして編成するステップと、
前記第１モードに用いる操作キャラクタを編成する編成パートにおいて、前記所定キャラクタ群からの選択を規制して、前記特定キャラクタ群のうちから２以上のキャラクタを選択することにより、当該２以上のキャラクタを操作キャラクタとして編成するステップとを実行させる、ゲームプログラム。
【請求項２】
前記操作キャラクタとして編成されるキャラクタの数は、前記第１モードのときと、前記第２モードのときとで同じである、請求項１に記載のゲームプログラム。
【請求項３】
前記所定の属性は、共通の第１の属性と、共通の第２の属性とを含み、
前記所定キャラクタ群は、前記第１の属性が定められている複数のキャラクタと、前記第２の属性が定められている複数のキャラクタとを含む、請求項１または請求項２に記載のゲームプログラム。
【請求項４】
前記複数種類のキャラクタは、ユーザが保有するキャラクタを含み、
前記ゲームプログラムは、前記プロセッサに、
付与条件が成立したときにキャラクタをユーザに付与するステップを実行させる、請求項１〜請求項３のいずれかに記載のプログラム。
【請求項５】
前記ゲームプログラムは、前記プロセッサに、
前記第１モードによるゲームの結果に応じて、当該ゲームに用いたキャラクタの有利度合いを表すパラメータを更新するステップを実行させる、請求項１〜請求項４のいずれかに記載のゲームプログラム。
【請求項６】
前記ゲームプログラムは、前記プロセッサに、
前記第１モードによるゲームの進行に応じて特典を付与するステップを実行させる、請求項１〜請求項５のいずれかに記載のゲームプログラム。
【請求項７】
前記ゲームプログラムは、前記プロセッサに、
前記第１モードによるゲームの進行に応じて特典を付与するステップを実行させ、
前記特典は、前記操作キャラクタとして選択可能となるキャラクタを含み、ユーザがすでに保有しているキャラクタと同じキャラクタが付与される場合には当該キャラクタの有利度合いを表すパラメータを更新する特典を含む、請求項１〜請求項６のいずれかに記載のゲームプログラム。
【請求項８】
プロセッサ、メモリ、および表示部を備えるコンピュータにより実行されるゲーム方法であって、
前記ゲーム方法に基づくゲームは、複数種類のキャラクタのうちから、ユーザにより操作される操作キャラクタを選択することにより編成する編成パートと、前記編成パートで編成された操作キャラクタを用いて第１モードと第２モードとを含む複数のモードのいずれかのゲームを行わせるゲームパートとを含み、
前記複数種類のキャラクタの各々には、複数種類の属性のうちのいずれかの属性が定められており、
前記ゲーム方法は、前記コンピュータが、
前記第２モードに用いる操作キャラクタを編成する編成パートにおいて、所定の属性が定められている複数のキャラクタからなる所定キャラクタ群と、特定の属性が定められている複数のキャラクタからなる特定キャラクタ群とのうちから２以上のキャラクタを選択することにより、当該２以上のキャラクタを操作キャラクタとして編成するステップと、
前記第１モードに用いる操作キャラクタを編成する編成パートにおいて、前記所定キャラクタ群からの選択を規制して、前記特定キャラクタ群のうちから２以上のキャラクタを選択することにより、当該２以上のキャラクタを操作キャラクタとして編成するステップとを備える、ゲーム方法。
【請求項９】
情報処理装置であって、
ゲームプログラムを記憶する記憶部と、
前記ゲームプログラムを実行することにより、前記情報処理装置の動作を制御する制御部とを備え、
前記ゲームプログラムに基づくゲームは、複数種類のキャラクタのうちから、ユーザにより操作される操作キャラクタを選択することにより編成する編成パートと、前記編成パートで編成された操作キャラクタを用いて第１モードと第２モードとを含む複数のモードのいずれかのゲームを行わせるゲームパートとを含み、
前記複数種類のキャラクタの各々には、複数種類の属性のうちのいずれかの属性が定められており、
前記制御部は、
前記第２モードに用いる操作キャラクタを編成する編成パートにおいて、所定の属性が定められている複数のキャラクタからなる所定キャラクタ群と、特定の属性が定められている複数のキャラクタからなる特定キャラクタ群とのうちから２以上のキャラクタを選択することにより、当該２以上のキャラクタを操作キャラクタとして編成するステップと、
前記第１モードに用いる操作キャラクタを編成する編成パートにおいて、前記所定キャラクタ群からの選択を規制して、前記特定キャラクタ群のうちから２以上のキャラクタを選択することにより、当該２以上のキャラクタを操作キャラクタとして編成するステップとを実行させる、情報処理装置。
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサ、メモリおよび操作部を備えるコンピュータにより実行されるものであり、
前記ゲームプログラムは、前記プロセッサに、
前記操作部を介して前記コンピュータに入力されたユーザの入力操作に応じてキャラクタを動作させるステップと、
前記ユーザが位置する空間とは物理的に離れた外部の空間に位置する外部装置から所定時刻に到達することにより配信されたデータであって、前記キャラクタの動作を指定する動作指図データを受信するステップと、
受信した前記動作指図データに基づいて、前記キャラクタを動作させるステップとを実行させ、
前記動作指図データは、前記キャラクタを演じる演者の入力したモーションデータと、前記キャラクタを演じる演者の入力した音声データと、を含むデータであり、
前記演者は、前記ユーザが位置する空間とは物理的に離れた外部の空間に位置する、前記ユーザとは異なる人である、ゲームプログラム。
【請求項２】
前記コンピュータは、表示部を備え、
前記ゲームプログラムは、前記プロセッサに、
前記動作指図データに基づいてキャラクタを動作させるステップは、当該キャラクタを、ゲーム結果に応じた態様で表示部に表示させる、請求項１に記載のゲームプログラム。
【請求項３】
前記受信するステップは、所定の条件を満たしているときに、前記外部装置から配信される動作指図データを受信する、請求項１または２に記載のゲームプログラム。
【請求項４】
前記動作指図データに基づいてキャラクタを動作させるステップは、前記動作指図データに含まれる音声データに基づいて前記キャラクタに発話させ、前記動作指図データに含まれるモーションデータに基づいて前記キャラクタを動かす、請求項１から３のいずれか１項に記載のゲームプログラム。
【請求項５】
前記動作指図データに基づいてキャラクタを動作させるステップは、前記外部装置から前記動作指図データを受信したことをトリガにして、該動作指図データに基づいて前記キャラクタを動作させる、請求項１から４のいずれか１項に記載のゲームプログラム。
【請求項６】
前記ゲームプログラムは、前記プロセッサに、
前記操作部を介して前記コンピュータに入力された、前記ユーザの入力操作の内容を、前記外部装置に送信するステップを実行させ、
前記受信するステップは、前記入力操作の内容を前記外部装置に送信した後において当該入力操作に対する前記キャラクタの反応を含む動作指図データを受信可能であり、
前記キャラクタを動作させるステップは、受信された前記動作指図データに含まれる前記音声データに基づいて前記キャラクタに発話させるとともに、前記モーションデータに基づいて前記キャラクタを動かすことにより、前記ユーザの入力操作に対する前記キャラクタの反応を前記ユーザに提示可能とする、請求項１から５のいずれか１項に記載のゲームプログラム。
【請求項７】
前記キャラクタの反応を含む動作指図データは、前記ユーザの入力操作に対して前記キャラクタを演じる演者の入力した音声データを含む、請求項６に記載のゲームプログラム。
【請求項８】
前記キャラクタの反応を含む動作指図データは、前記ユーザの入力操作に対して前記キャラクタを演じる演者の入力したモーションデータを含む、請求項６または７に記載のゲームプログラム。
【請求項９】
前記キャラクタの反応を含む動作指図データは、前記ユーザの入力操作に対して、該外部装置に入力された入力操作により特定された、前記キャラクタの動作を指示するコマンドを１以上有するモーションコマンド群を含む、請求項６または７に記載のゲームプログラム。
【請求項１０】
前記動作指図データは、前記外部装置からマルチキャストで送信されるデータである、請求項１から９のいずれか１項に記載のゲームプログラム。
【請求項１１】
コンピュータにより実行されるゲームプログラムであって、
前記コンピュータは、オペレータの操作にしたがって、キャラクタの動作内容を示す動作指図データを生成する外部装置と通信可能に構成されており、
前記ゲームプログラムにより行われるゲームは、前記キャラクタをユーザが操作可能な第１パートと、前記キャラクタをユーザが操作不可能な第２パートとを含み、
前記ゲームプログラムは、前記コンピュータのプロセッサに、
前記ユーザが位置する空間とは物理的に離れた外部の空間に位置する外部装置から所定時刻に到達することにより配信されるデータであって、前記第１パートにおいてユーザの操作対象となるプレイヤキャラクタを前記第２パートにおいて動作させるための動作指図データを受信するステップと、
受信した前記動作指図データに基づいて、前記第２パートにおいて前記プレイヤキャラクタを動作させるステップと、を実行させ、
前記動作指図データは、前記オペレータの入力したモーションデータと、前記オペレータの入力した音声データと、を含むデータであり、
前記演者は、前記ユーザが位置する空間とは物理的に離れた外部の空間に位置する、前記ユーザとは異なる人である、ゲームプログラム。
【請求項１２】
コンピュータがゲームプログラムを実行する方法であって、
前記コンピュータは、プロセッサ、メモリおよび操作部を備え、
前記プロセッサが請求項１に記載の各ステップを実行する方法。
【請求項１３】
情報処理装置であって、
前記情報処理装置は、
請求項１に記載のゲームプログラムを記憶する記憶部と、
操作部と、
該ゲームプログラムを実行することにより、情報処理装置の動作を制御する制御部とを備えている、情報処理装置。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
薬物被覆バルーンカテーテルであって、
細長いバルーンおよび
バルーンの外表面を覆うコーティング層を含み、該コーティング層が
パクリタキセルを含む治療剤の初期送達量および
ペンタエリスリトールエトキシレート(１５／４)およびペンタエリスリトールエトキシレート(３／４)を含む１以上の水溶性添加物
を含むものである、薬物被覆バルーンカテーテル。
【請求項２】
パクリタキセル対ペンタエリスリトールエトキシレート(１５／４)およびペンタエリスリトールエトキシレート(３／４)の質量比が１：５.５〜１０：１である、請求項１に記載の薬物被覆バルーンカテーテル。
【請求項３】
ペンタエリスリトールエトキシレート(１５／４)対ペンタエリスリトールエトキシレート(３／４)の質量比が１：４０〜７.５：１である、請求項１または２に記載の薬物被覆バルーンカテーテル。
【請求項４】
１以上の水溶性添加物がさらにＮ−アセチルグルコサミン、Ｎ−オクチル−Ｄ−グルコンアミド、Ｎ−ノナノイル−Ｎ−メチルグルカミン、Ｎ−オクタノイル−Ｎ−メチルグルタミン、Ｃ６−セラミド、ジヒドロ−Ｃ６−セラミド、セレブロシド、スフィンゴミエリン、ガラクトセレブロシド、ラクトセレブロシド、Ｎ−アセチル−Ｄ−スフィンゴシン、Ｎ−ヘキサノイル−Ｄ−スフィンゴシン、Ｎ−オクトノイル−Ｄ−スフィンゴシン、Ｎ−ラウロイル−Ｄ−スフィンゴシン、Ｎ−パルミトイル−Ｄ−スフィンゴシン、Ｎ−オレオイル−Ｄ−スフィンゴシン、ＰＥＧカプリル／カプリン酸ジグリセライド、ＰＥＧ８カプリル／カプリン酸グリセライド、ＰＥＧカプリレート、ＰＥＧ８カプリレート、ＰＥＧカプレート、ＰＥＧカプロエート、モノカプリル酸グリセリル、モノカプリン酸グリセリル、モノカプロン酸グリセリル、モノラウリン、モノカプリン、モノカプリリン、モノミリスチン、モノパルミトレイン、モノオレイン、クレアチン、クレアチニン、アグマチン、シトルリン、グアニジン、スクラロース、アスパルテーム、ヒポキサンチン、テオブロミン、テオフィリン、アデニン、ウラシル、ウリジン、グアニン、チミン、チミジン、キサンチン、キサントシン、一リン酸キサントシン、カフェイン、アラントイン、(２−ヒドロキシエチル)尿素、Ｎ,Ｎ’−ビス(ヒドロキシメチル)尿素、ペンタエリスリトールプロポキシレート、ペンタエリスリトールプロポキシレート／エトキシレート、グリセロールエトキシレート、グリセロールプロポキシレート、トリメチロールプロパンエトキシレート、ペンタエリスリトール、ジペンタエリスリトール、クラウンエーテル、１８−クラウン−６、１５−クラウン−５、１２−クラウン−４またはそれらの組み合わせを含む、請求項１〜３のいずれかに記載の薬物被覆バルーンカテーテル。
【請求項５】
１以上の水溶性添加物がヒドロキシル、アミン、カルボニル、カルボキシルまたはエステルである１以上の部分を有する化合物をさらに含む、請求項１〜４のいずれかに記載の薬物被覆バルーンカテーテル。
【請求項６】
細長いバルーンが主膨張直径を含み、ここで、バルーンが、バルーン上に主膨張直径より小さい膨張直径を含む少なくとも１つのネック部を含み、該少なくとも１つのネック部がバルーンを少なくとも２つの要部に分ける、請求項１〜５のいずれかに記載の薬物被覆バルーンカテーテル。
【請求項７】
要部の膨張公称直径が約５mm〜約４５mmであり、ネック部の膨張公称直径が５mm〜３５mmである、請求項６に記載の薬物被覆バルーンカテーテル。
【請求項８】
ネック部の膨張直径がバルーンカテーテルの少なくとも２つの要部間の最小膨張直径であり、ネック部の膨張直径がネック部の非膨張直径より大きい、請求項６または７に記載の薬物被覆バルーンカテーテル。
【請求項９】
薬物コーティングが要部の少なくとも一つおよびネックにある、請求項６〜８のいずれかに記載の薬物被覆バルーンカテーテル。
【請求項１０】
ネック部が要部に比して膨張中伸展性が減少した領域を含む、請求項６〜９のいずれかに記載の薬物被覆バルーンカテーテル。
【請求項１１】
薬物被覆バルーンカテーテルが膨張管腔を含み、それを介してネック部および要部の各々が同時に膨張可能である、請求項６〜１０のいずれかに記載の薬物被覆バルーンカテーテル。
【請求項１２】
少なくとも１つのネック部が１つのネック部であり、バルーンが他のネック部を有しない、請求項６〜１１のいずれかに記載の薬物被覆バルーンカテーテル。
【請求項１３】
ネック部が細長いバルーンの膨張中にネック部の伸展性を低減するためにネック部の外周周囲にネック部補強材を含む、請求項６〜１２のいずれかに記載の薬物被覆バルーンカテーテル。
【請求項１４】
ネック部補強材が縫合糸または、単繊維または多繊維を含む、請求項１３に記載の薬物被覆バルーンカテーテル。
【請求項１５】
ネック部補強材がナイロン、ポリアミド、芳香族ポリアミド、超高分子量ポリエチレン(UHMWPE)、ポリエステル、芳香族ポリエステル、ポリエチレンテレフタラート(ＰＥＴ)またはそれらの組み合わせを含む、請求項１３または１４に記載の薬物被覆バルーンカテーテル。